(57)【要約】【課題】画像ファイルを削除すること。【解決手段】制御装置１０４は、使用者による画像ファイルの削除指示を受け付けた場合には、１回の撮影で生成されてメモリカードに記録されているＲＡＷ画像ファイルをＪＰＥＧ画像ファイルのうち、データサイズが大きいＲＡＷ画像ファイルのみをメモリカードから削除して、ＲＡＷ画像ファイルよりもデータサイズが小さいＪＰＥＧ画像ファイルはメモリカードに残す。【選択図】図１
2010212965.tif 000002
【特許請求の範囲】
【請求項１】
使用者からの記憶媒体に記録された画像ファイルの削除指示を受け付ける受付手段と、
前記受付手段が前記削除指示を受け付けた場合に、前記記憶媒体から前記画像ファイルを削除するとともに、削除した前記画像ファイルと同一被写体を撮影した画像を含み、かつ削除した画像ファイルよりもデータサイズが小さい画像ファイルを前記記憶媒体に残す削除制御手段とを備えることを特徴とするカメラ。
【請求項２】
請求項１に記載のカメラにおいて、
１回の撮影処理によって第１の画像ファイルフォーマットの画像ファイル（第１の画像ファイル）と、前記第１の画像ファイルよりもデータサイズが小さい第２の画像ファイルフォーマットの画像ファイル（第２の画像ファイル）が生成され、これらが前記記憶媒体に記録されている場合には、前記削除制御手段は、前記第１の画像ファイルを前記記憶媒体から削除して、前記第２の画像ファイルを前記記憶媒体に残すことを特徴とするカメラ。
【請求項３】
請求項１に記載のカメラにおいて、
前記削除制御手段は、前記記憶媒体から画像ファイルを削除する際に、削除対象の画像ファイルに基づいて、前記削除対象の画像ファイルよりもデータサイズが小さい画像ファイルを生成して前記記憶媒体に記録することを特徴とするカメラ。
【請求項４】
請求項３に記載のカメラにおいて、
前記削除対象の画像ファイルが画像データを生成するために必要な画像処理を適用する前の画像ソースデータであるＲＡＷデータを含むＲＡＷ画像ファイルである場合には、前記削除制御手段は、前記記憶媒体から前記ＲＡＷ画像ファイルを削除する際に、削除対象のＲＡＷ画像ファイルに含まれる前記ＲＡＷデータに対して現像処理を施すことによって、前記ＲＡＷ画像ファイルよりもデータサイズが小さい画像ファイルを生成して前記記憶媒体に記録することを特徴とするカメラ。
【請求項５】
請求項３に記載のカメラにおいて、
前記削除対象の画像ファイルが画像データを生成するために必要な画像処理を適用する前の画像ソースデータであるＲＡＷデータを含むＲＡＷ画像ファイルである場合には、前記削除制御手段は、前記記憶媒体から前記ＲＡＷ画像ファイルを削除する際に、前記ＲＡＷデータに対して切り出し処理または縮小処理を施すことによって、前記ＲＡＷ画像ファイルよりもデータサイズが小さい画像ファイルを生成して前記記憶媒体に記録することを特徴とするカメラ。
【請求項６】
請求項１〜５のいずれか一項に記載のカメラにおいて、
前記記憶媒体に残した画像ファイルを削除することにより、前記記憶媒体内に次の撮影を行うために必要な空き容量を確保することができる場合には、その旨を使用者に通知する通知手段をさらに備えることを特徴とするカメラ。
【発明の詳細な説明】
【技術分野】
【０００１】
本発明は、カメラに関する。
【背景技術】
【０００２】
次のようなデジタルカメラが知られている。このデジタルカメラは、撮影した画像がＮＧ画像である場合には、ＪＰＥＧ画像データのみを記録媒体に記録し、ＲＡＷ画像データは削除する（例えば、特許文献１）。
【先行技術文献】
【特許文献】
【０００３】
【特許文献１】特開２００７−２１５１０９号公報
【発明の概要】
【発明が解決しようとする課題】
【０００４】
しかしながら、従来のデジタルカメラでは、ＲＡＷ画像データが削除されるのはＮＧ画像のみなので、使用者が必要とするときにＲＡＷ画像データの削除を指示することはできなかった。
【課題を解決するための手段】
【０００５】
本発明によるカメラは、使用者からの記憶媒体に記録された画像ファイルの削除指示を受け付ける受付手段と、受付手段が削除指示を受け付けた場合に、記憶媒体から画像ファイルを削除するとともに、削除した画像ファイルよりもデータサイズが小さい画像ファイルを記憶媒体に残す削除制御手段とを備えることを特徴とする。
本発明では、１回の撮影処理によって第１の画像ファイルフォーマットの画像ファイル（第１の画像ファイル）と、第１の画像ファイルよりもデータサイズが小さい第２の画像ファイルフォーマットの画像ファイル（第２の画像ファイル）が生成され、これらが記憶媒体に記録されている場合には、削除制御手段は、第１の画像ファイルを記憶媒体から削除して、第２の画像ファイルを前記記憶媒体に残すようにしてもよい。
削除制御手段は、記憶媒体から画像ファイルを削除する際に、削除対象の画像ファイルに基づいて、削除対象の画像ファイルよりもデータサイズが小さい画像ファイルを生成して記憶媒体に記録するようにしてもよい。
削除対象の画像ファイルが画像データを生成するために必要な画像処理を適用する前の画像ソースデータであるＲＡＷデータを含むＲＡＷ画像ファイルである場合には、削除制御手段は、記憶媒体からＲＡＷ画像ファイルを削除する際に、削除対象のＲＡＷ画像ファイルに含まれるＲＡＷデータに対して現像処理を施すことによって、ＲＡＷ画像ファイルよりもデータサイズが小さい画像ファイルを生成して記憶媒体に記録するようにしてもよい。
削除対象の画像ファイルが画像データを生成するために必要な画像処理を適用する前の画像ソースデータであるＲＡＷデータを含むＲＡＷ画像ファイルである場合には、削除制御手段は、記憶媒体からＲＡＷ画像ファイルを削除する際に、ＲＡＷデータに対して切り出し処理または縮小処理を施すことによって、ＲＡＷ画像ファイルよりもデータサイズが小さい画像ファイルを生成して記憶媒体に記録するようにしてもよい。
本発明によるカメラは、記憶媒体に残した画像ファイルを削除することにより、記憶媒体内に次の撮影を行うために必要な空き容量を確保することができる場合には、その旨を使用者に通知する通知手段をさらに備えるようにしてもよい。
【発明の効果】
【０００６】
本発明によれば、使用者は、必要なときに画像ファイルの削除を指示することができ、記憶媒体からデータサイズが大きい画像ファイルを削除して、データサイズが小さい画像ファイルを残すことができる。
【図面の簡単な説明】
【０００７】
【図１】カメラ１００の一実施の形態の構成を示すブロック図である。
【図２】カメラ１００の処理を示すフローチャート図である。
【発明を実施するための形態】
【０００８】
図１は、本実施の形態におけるカメラの一実施の形態の構成を示すブロック図である。カメラ１００は、操作部材１０１と、レンズ１０２と、撮像素子１０３と、制御装置１０４と、メモリカードスロット１０５と、モニタ１０６とを備えている。操作部材１０１は、使用者によって操作される種々の入力部材、例えば電源ボタン、レリーズボタン、ズームボタン、十字キー、決定ボタン、再生ボタン、削除ボタンなどを含んでいる。
【０００９】
レンズ１０２は、複数の光学レンズから構成されるが、図１では代表して１枚のレンズで表している。撮像素子１０３は、例えばＣＣＤやＣＭＯＳなどのイメージセンサーであり、レンズ１０２により結像した被写体像を撮像する。そして、撮像によって得られた画像信号を制御装置１０４へ出力する。
【００１０】
制御装置１０４は、ＣＰＵ、メモリ、およびその他の周辺回路により構成され、カメラ１００を制御する。なお、制御装置１０４を構成するメモリには、ＳＤＲＡＭやフラッシュメモリが含まれる。ＳＤＲＡＭは、揮発性のメモリであって、ＣＰＵがプログラム実行時にプログラムを展開するためのワークメモリとして使用されたり、データを一時的に記録するためのバッファメモリとして使用される。また、フラッシュメモリは、不揮発性のメモリであって、制御装置１０４が実行するプログラムのデータや、プログラム実行時に読み込まれる種々のパラメータなどが記録されている。
【００１１】
制御装置１０４は、撮像素子１０３から入力された画像信号に基づいて、所定のファイルフォーマットの画像ファイルを生成してメモリカードスロット１０５へ出力する。本実施の形態では、制御装置１０４は、１回の撮影処理で得られた画像信号に基づいて、ＲＡＷデータを含むＲＡＷ画像ファイルとＪＰＥＧデータを含むＪＰＥＧ画像ファイルとを生成する。なお、ＲＡＷデータとは、画像データを生成するために必要な画像処理を適用する前の画像ソースデータをいう。また、ＪＰＥＧデータとは、ＲＡＷデータに対して画像データを生成するために必要な画像処理を適用して得られる画像データをＪＰＥＧ形式に圧縮した画像データをいう。
【００１２】
なお、制御装置１０４は、１回の撮影処理で生成したＲＡＷ画像ファイルのファイル名の拡張子を除いた部分と、ＪＰＥＧ画像ファイルの拡張子を除いた部分とを一致させておくことによって、両画像ファイルを関連付ける。これによって、後述する種々の処理において、制御装置１０４は、ＲＡＷ画像ファイルのファイル名の拡張子を除いた部分と、ＪＰＥＧ画像ファイルのファイル名の拡張子を除いた部分とを比較して、両者が一致するものを特定することにより、１回の撮影処理で生成されたＲＡＷ画像ファイルとＪＰＥＧ画像ファイルを特定することができる。
【００１３】
例えば、ＲＡＷ画像ファイルの拡張子が「．ＮＥＦ」であって、ＪＰＥＧ画像ファイルの拡張子が「．ＪＰＧ」である場合について説明する。この場合には、制御装置１０４は、１回の撮影処理でＲＡＷ画像ファイルとＪＰＥＧ画像ファイルとを生成したときに、ＲＡＷ画像ファイルには「ＤＳＣ＿０００１．ＮＥＦ」というファイル名を付加し、ＪＰＥＧ画像ファイルには「ＤＳＣ＿０００１．ＪＰＧ」というファイル名を付加する。
【００１４】
ＲＡＷ画像ファイルおよびＪＰＥＧ画像ファイルは、それぞれメタデータ等を格納するヘッダー部と画像ソースデータまたは画像データを格納するデータ部とを有している。ＲＡＷ画像ファイルのヘッダー部には、データ部に格納されているＲＡＷデータを出力用の画像データに現像するための画像処理パラメータ（現像パラメータ）が格納される。制御装置１０４は、データ部に格納されているＲＡＷデータに対してヘッダー部に格納されている現像パラメータを適用して現像処理を行うことによって、出力用の画像データ、例えばＪＥＰＧデータを生成することができる。
【００１５】
また、ＲＡＷ画像ファイルのヘッダー部には、データ部に格納されているＲＡＷデータに現像パラメータを適用することによって生成された表示用画像データ、例えば、ＲＡＷデータに現像パラメータを適用して得た画像データを縮小することにより作成されたサムネイル画像データが記録されている。ＪＰＥＧ画像ファイルのヘッダー部には、ＪＰＥＧデータを縮小することにより生成されたサムネイル画像データが記録されている。
【００１６】
メモリカードスロット１０５は、記憶媒体としてのメモリカードを挿入するためのスロットであり、制御装置１０４から出力されたＲＡＷ画像ファイルとＪＰＥＧ画像ファイルとをメモリカードに書き込んで記録する。また、メモリカードスロット１０５は、制御装置１０４からの指示に基づいて、メモリカード内に記憶されている画像ファイルを読み込んで制御装置１０４へ出力する。
【００１７】
モニタ１０６は、カメラ１００の背面に搭載された液晶モニタ（背面モニタ）であり、当該モニタ１０６には、メモリカードに記憶されている画像やカメラ１００を設定するための設定メニューなどが表示される。
【００１８】
本実施の形態では、制御装置１０４は、使用者の指示に基づいてメモリカードに記録されている画像ファイルのヘッダー部からサムネイル画像データを抽出してモニタ１０６に出力することによって、モニタ１０６上にサムネイル画像を一覧表示する。このとき、本実施の形態では上述したように１回の撮影処理で生成された２つの画像ファイル（ＲＡＷ画像ファイルとＪＰＥＧ画像ファイル）とがあるため、いずれか一方の画像ファイルからサムネイル画像データを抽出してサムネイル画像を表示すれば足りる。
【００１９】
本実施の形態では、制御装置１０４は、使用者からの画像表示指示があった場合には、例えば、メモリカードに記録されているＲＡＷ画像ファイルのヘッダー部からサムネイル画像データを抽出してモニタ１０６に出力することによって、モニタ１０６にサムネイル画像を一覧表示する。
【００２０】
使用者は、操作部材１０１を操作することによって、モニタ１０６に一覧表示されたサムネイル画像のうちのいずれか１つを選択し、選択したサムネイル画像に対応する画像ファイルの削除を指示することができる。制御装置１０４は、使用者から画像ファイルの削除が指示された場合には、メモリカードに記録されている画像ファイルの中から使用者によって選択されたサムネイル画像に対応する画像ファイルを削除対象として特定する。
【００２１】
なお、本実施の形態では、１回の撮影処理で生成された２つの画像ファイル（ＲＡＷ画像ファイルとＪＰＥＧ画像ファイル）が生成されてメモリカードに記録されているため、削除対象として特定する画像ファイルとしては、ＲＡＷ画像ファイルとＪＰＥＧ画像ファイルの両方、またはＲＡＷ画像ファイルとＪＰＥＧ画像ファイルとのいずれか一方とすることが考えられる。
【００２２】
使用者が画像ファイルを削除する場合の一例としては、メモリカードの空き容量が少なくなっており、次の撮影を行うためにメモリカードの空き容量を増やす必要がある場合が考えられる。このとき、使用者は、メモリカードの空き容量を確保するために、本当は残しておきたい画像ファイルの中からいずれかを選択してやむを得ず削除する場合と、不要な画像ファイルを探し出して削除する場合とが考えられる。
【００２３】
削除対象の画像ファイルが、使用者がやむを得ず削除するものである場合には、メモリカードの空き容量を確保するために、データサイズが大きいＲＡＷ画像ファイルのみを削除して、ＪＰＥＧ画像ファイルを残しておくことが好ましい。これに対して、削除対象の画像ファイルが不要な画像ファイルである場合には、ＲＡＷ画像ファイルとＪＰＥＧ画像ファイルの両方を削除しても差し支えない。
【００２４】
よって、本実施の形態では、安全を考慮して、制御装置１０４は、使用者から画像ファイルの削除指示があった場合には、選択されたサムネイル画像に対応するＲＡＷ画像ファイルを特定し、メモリカード内から特定したＲＡＷ画像ファイルのみを削除するようにする。これによって、使用者による画像ファイルの削除指示に基づいて、データサイズが大きいＲＡＷ画像ファイルを削除してメモリカードの空き容量を確保するとともに、データサイズが小さいＪＰＥＧ画像ファイルを残して、画像が完全に消失することを防ぐことができる。
【００２５】
制御装置１０４は、使用者の指示に基づいてＲＡＷ画像ファイルをメモリカードから削除した場合には、それに対応するＪＰＥＧ画像ファイルをメモリカード内に作成した専用のフォルダ（以下、「ＪＰＥＧフォルダ」と呼ぶ）に移動する。これによって、対応するＲＡＷ画像ファイルが削除されていないＪＰＥＧ画像ファイルと、対応するＲＡＷ画像ファイルが削除されたＪＰＥＧ画像ファイルとを区別してメモリカードに記録することができる。
【００２６】
上述したように、削除対象の画像ファイルの中には使用者にとって不要な画像ファイルも含まれるため、ＪＰＥＧフォルダに移動されたＪＰＥＧ画像ファイルの中には、使用者が不要と判断して削除を指示した画像のＪＰＥＧ画像ファイルも含まれることになる。すなわち、上記のように処理した場合には、本来であれば削除しても問題のないＪＰＥＧ画像ファイルがメモリカード内に残ってしまう可能性がある。
【００２７】
このため、制御装置１０４は、使用者が新たなサムネイル画像を選択して画像ファイルの削除を指示したときに、メモリカードの空き容量とＪＰＥＧフォルダ内に記録されているＪＰＥＧ画像ファイルの合計データサイズを確認する。そして、制御装置１０４は、メモリカード内に次の撮影を行うために必要な空き容量がない場合であって、かつＪＰＥＧフォルダ内のＪＰＥＧ画像ファイルを削除すれば、次の撮影を行うために必要な空き容量を確保できる場合には、使用者にその旨を通知する。また、制御装置１０４は、同時に、新たに選択したサムネイル画像に対応するＲＡＷ画像ファイルを削除するか、あるいはＪＰＥＧフォルダ内に記録されているＪＰＥＧ画像ファイルを削除するかの選択を促す。
【００２８】
使用者は、上記通知に従って、新たに選択したサムネイル画像に対応するＲＡＷ画像ファイルを削除するか、あるいはＪＰＥＧフォルダ内に記録されているＪＰＥＧ画像ファイルを削除するかを選択することができ、制御装置１０４は、使用者による選択結果に応じた画像ファイルをメモリカード内から削除する。これによって、使用者は、新たなＲＡＷ画像ファイルを削除するか、あるいは既に削除指示を行った結果、ＪＰＥＧフォルダに退避されているＪＰＥＧ画像ファイルを削除するかを選択して、メモリカードの空き容量を確保することができる。
【００２９】
図２は、本実施の形態におけるカメラ１００の処理を示すフローチャートである。図２に示す処理は、使用者によって画像の閲覧が指示されると起動するプログラムとして、制御装置１０４によって実行される。
【００３０】
ステップＳ１０において、制御装置１０４は、メモリカードに記録されているＲＡＷ画像ファイルのヘッダー部からサムネイル画像データを抽出してモニタ１０６に出力することによって、モニタ１０６にサムネイル画像を一覧表示する。その後、ステップＳ２０へ進み、制御装置１０４は、使用者によっていずれかのサムネイル画像が選択されて、そのサムネイル画像に対応する画像ファイルの削除が指示されたか否かを判断する。ステップＳ２０で否定判断した場合には、後述するステップＳ９０へ進む。これに対して、ステップＳ２０で肯定判断した場合には、ステップＳ３０へ進む。
【００３１】
ステップＳ３０では、制御装置１０４は、メモリカードの空き容量とＪＰＥＧフォルダ内に記録されているＪＰＥＧ画像ファイルの合計データサイズを確認する。その後、ステップＳ４０へ進み、制御装置１０４は、ＪＰＥＧフォルダ内のＪＰＥＧ画像ファイルを削除すれば、次の撮影を行うために必要な空き容量を確保することができるか否かを判断する。ステップＳ４０で否定判断した場合には、ステップＳ８０へ進み、制御装置１０４は、使用者によって選択されたサムネイル画像に対応するＲＡＷ画像ファイルをメモリカードから削除して、後述するステップＳ９０へ進む。
【００３２】
これに対して、ステップＳ４０で肯定判断した場合には、ステップＳ５０へ進み、制御装置１０４は、使用者に対して、ＪＰＥＧフォルダ内のＪＰＥＧ画像ファイルを削除すれば、次の撮影を行うために必要な空き容量を確保できる旨を通知し、さらに新たに選択したサムネイル画像に対応するＲＡＷ画像ファイルを削除するか、あるいはＪＰＥＧフォルダ内に記録されているＪＰＥＧ画像ファイルを削除するかの選択を促す。その後、ステップＳ６０へ進む。
【００３３】
ステップＳ６０では、制御装置１０４は、使用者によって、ＪＰＥＧフォルダ内のＪＰＥＧ画像ファイルを削除するように指示されたか否かを判断する。ステップＳ６０で否定判断した場合には、上述したステップＳ８０へ進み、制御装置１０４は、使用者によって選択されたサムネイル画像に対応するＲＡＷ画像ファイルをメモリカードから削除して、後述するステップＳ９０へ進む。これに対して、ステップＳ６０で肯定判断した場合には、ステップＳ７０へ進む。
【００３４】
ステップＳ７０では、制御装置１０４は、メモリカード内のＪＰＥＧフォルダに記録されているＪＰＥＧ画像ファイルを削除して、ステップＳ９０へ進む。ステップＳ９０では、制御装置１０４は、使用者によって操作部材１０１が操作されることにより、サムネイル画像一覧の閲覧終了が指示されたか否かを判断する。ステップＳ９０で否定判断した場合には、ステップＳ２０へ戻って処理を繰り返す。これに対して、ステップＳ９０で肯定判断した場合には、処理を終了する。
【００３５】
以上説明した本実施の形態によれば、以下のような作用効果を得ることができる。
（１）制御装置１０４は、使用者による画像ファイルの削除指示を受け付けた場合には、メモリカードからデータサイズが大きいＲＡＷ画像ファイルを削除するとともに、ＲＡＷ画像ファイルよりもデータサイズが小さいＪＰＥＧ画像ファイルをメモリカードに残すようにした。これによって、画像が完全に消失するのを防いだ上で、メモリカードの空き容量を確保することができる。
【００３６】
（２）制御装置１０４は、使用者が新たなサムネイル画像を選択して画像ファイルの削除を指示したときに、メモリカードの空き容量とＪＰＥＧフォルダ内に記録されているＪＰＥＧ画像ファイルの合計データサイズを確認するようにし、ＪＰＥＧフォルダ内のＪＰＥＧ画像ファイルを削除すれば、次の撮影を行うために必要な空き容量を確保できる場合には、使用者にその旨を通知するようにした。これによって、使用者は、ＪＥＰＧフォルダ内の画像ファイルを削除することにより、メモリカード内に次の撮影を行うために必要な空き容量を確保することができることを把握することができる。
【００３７】
―変形例―
なお、上述した実施の形態のカメラは、以下のように変形することもできる。
（１）上述した実施の形態では、制御装置１０４は、使用者から画像ファイルの削除指示があった場合でも、メモリカードからＲＡＷ画像ファイルのみを削除し、ＲＡＷ画像ファイルよりもデータサイズが小さいＪＰＥＧ画像ファイルは残しておくことによって、画像が完全に消失することを防ぐようにした。しかしながら、制御装置１０４は、使用者から画像ファイルの削除指示があった場合には、メモリカードからＲＡＷ画像ファイルとＪＰＥＧ画像ファイルの両方を削除するようにしてもよい。そして、制御装置１０４は、以下の（Ａ）から（Ｃ）のいずれかの方法により、ＲＡＷ画像ファイルよりもデータサイズが小さい画像ファイルをメモリカード内に残すことによって、上述した実施の形態と同様の効果を得るようにしてもよい。
【００３８】
（Ａ）制御装置１０４は、ＲＡＷ画像ファイルとＪＰＥＧ画像ファイルとを削除する際に、ＲＡＷ画像ファイルのヘッダー部に格納されている撮影時の現像パラメータを用いてＲＡＷデータを現像することによってＪＰＥＧ画像データを生成し、これを格納したＪＰＥＧ画像ファイルをメモリカード内に残しておくようにしてもよい。なお、現像処理を行うに当たっては、必ずしも撮影時の現像パラメータを使用する必要はなく、使用者が新たに現像パラメータを設定できるようにしてもよい。
【００３９】
（Ｂ）制御装置１０４は、ＲＡＷ画像ファイルとＪＰＥＧ画像ファイルとを削除する際に、ＲＡＷ画像ファイルのヘッダー部に格納されている表示用画像データ、例えばサムネイル画像データを格納した画像ファイルを生成し、これをメモリカード内に残しておくようにしてもよい。
【００４０】
（Ｃ）制御装置１０４は、ＲＡＷ画像ファイルとＪＰＥＧ画像ファイルとを削除する際に、ＲＡＷ画像ファイルに格納されているＲＡＷデータを所定の大きさに切り取ったり、ＲＡＷデータを縮小したりしてデータサイズを小さくした後に、これを格納した画像ファイルを生成してメモリカード内に残しておくようにしてもよい。
【００４１】
（２）上述した実施の形態では、制御装置１０４は、１回の撮影処理でＲＡＷ画像ファイルとＪＰＥＧ画像ファイルとを生成してメモリカードに記録しておき、使用者からの画像削除指示があった場合には、データサイズが大きいＲＡＷ画像ファイルを削除してデータサイズが小さいＪＰＥＧ画像ファイルを残す例について説明した。しかしながら、変形例（１）で上述した（Ａ）から（Ｃ）の方法をとる場合には、必ずしも１回の撮影処理でＲＡＷ画像ファイルとＪＰＥＧ画像ファイルとが生成されている必要はない。
【００４２】
すなわち、１回の撮影処理でＲＡＷ画像ファイルが生成されていれば、ＪＰＥＧ画像ファイルが生成されていなくても、（Ａ）で上述したように現像処理を行って新たなＪＰＥＧファイルを生成することができる。また、（Ｂ）で上述したように、ＲＡＷ画像ファイルのヘッダー部から表示用画像データを読み出して新たな画像ファイルを生成することができる。また、（Ｃ）で上述したように、ＲＡＷデータに対して切り出し処理や縮小処理を行うことができる。
【００４３】
（３）上述した実施の形態では、制御装置１０４は、メモリカード内からＲＡＷ画像ファイルを削除してＪＰＥＧ画像ファイルを残す場合には、ＪＰＥＧ画像ファイルをメモリカード内に作成したＪＰＥＧフォルダに移動する例について説明した。しかしながら、制御装置１０４は、ＪＰＥＧ画像ファイルをＪＰＥＧフォルダに移動せずにそのまま残しておいてもよい。あるいは、制御装置１０４は、ＪＰＥＧ画像ファイルをネットワークを介して接続されている他の外部装置に送信して退避するようにしてもよい。
【００４４】
（４）上述した実施の形態では、制御装置１０４は、１回の撮影処理で得られた画像信号に基づいて、ＲＡＷ画像ファイルとＪＰＥＧ画像ファイルとを生成し、これらをメモリカードに記録するようにした。そして、制御装置１０４は、使用者から画像ファイルの削除が指示された場合には、データサイズが大きいＲＡＷ画像ファイルをメモリカードから削除し、データサイズが小さいＪＰＥＧ画像ファイルをメモリカードに残す例について説明した。しかしながら、制御装置１０４は、１回の撮影処理で得られた画像信号に基づいて、上記ＲＡＷ画像ファイルとＪＰＥＧ画像ファイルとの組み合わせとは異なる組み合わせで、異なるフォーマットの２つの画像ファイルを生成するようにしてもよい。この場合、制御装置１０４は、使用者から画像ファイルの削除が指示された場合には、異なる２つのフォーマットの画像ファイルのうち、データサイズが大きいフォーマットの画像ファイルをメモリカードから削除し、データサイズが小さいフォーマットの画像ファイルをメモリカードに残すようにしてもよい。
【００４５】
なお、本発明の特徴的な機能を損なわない限り、本発明は、上述した実施の形態における構成に何ら限定されない。また、上述の実施の形態と複数の変形例を組み合わせた構成としてもよい。
【符号の説明】
【００４６】
１００  カメラ、１０１  操作部材、１０２  レンズ、１０３  撮像素子、１０４  制御装置、１０５  メモリカードスロット、１０６  モニタ
【図１】
2010212965.tif 000003
【図２】
2010212965.tif 000004